(57)【要約】      （修正有）【課題】比較的小型で消費電力が比較的低く、かつ、ソレノイドの発熱を抑制する。【解決手段】プランジャの引き込み位置となる規制位置ではカムシャフトのＬＯＣＫ位置への回転を阻止し、プランジャの突出位置となる許容位置ではカムシャフトのＬＯＣＫ位置への回転を許容する阻止部材と、カム部と阻止部材とに連動し、カムシャフトの回転に応じて阻止部材を規制位置と許容位置とに遷移させるカム連動部材と、プランジャを突出位置に付勢することで、阻止部材が許容位置となる方向に移動させる第１スプリングと、阻止部材を規制位置に向けてカム連動部材を介して付勢する第２スプリングとを備え、カム連動部材は、一端部がハウジングに軸支され、他端部が阻止部材に離脱可能な態様で係合可能であり、カムシャフトがＬＯＣＫ位置からＡＣＣ位置に回転することに応じて、第１スプリングの付勢力に抗して阻止部材を規制位置に移動させる、ステアリングロック装置。【選択図】図５
2020097325.tif 000002
【特許請求の範囲】
【請求項１】
ハウジング内に配置され、キーの回転操作に応じてＬＯＣＫ位置、ＡＣＣ位置、ＯＮ位置及びＳＴＡＲＴ位置へ回転するカム部を有するカムシャフトと、
突出位置と引き込み位置との間で移動可能なプランジャを駆動するソレノイドと、
前記プランジャの移動に連動して規制位置と許容位置とに移動可能であって、前記プランジャの引き込み位置となる規制位置では前記カムシャフトのＬＯＣＫ位置への回転を阻止し、前記プランジャの突出位置となる許容位置では前記カムシャフトのＬＯＣＫ位置への回転を許容する阻止部材と、
一端部が前記ハウジングに軸支され、他端部が前記阻止部材に離脱可能な態様で係合可能であり、前記カム部の回転に連動するカム連動部材と、
前記阻止部材を許容位置に向けて付勢する第１スプリングと、
前記カム連動部材を介して前記阻止部材を前記規制位置に向けて付勢する第２スプリングとを備え、
前記カム連動部材は、前記カムシャフトがＬＯＣＫ位置からＡＣＣ位置に回転することに応じて、前記第２スプリングからの付勢力によって前記第１スプリングの付勢力に抗して前記阻止部材を前記許容位置から前記規制位置に移動させる、ステアリングロック装置。
【請求項２】
前記第１スプリングは、前記プランジャを介して前記阻止部材を付勢し、
前記阻止部材には、前記カム連動部材の前記他端部が係合可能な凹部が形成され、又は、前記カム連動部材の前記他端部には、前記阻止部材が係合可能な凹部が形成される、請求項１に記載のステアリングロック装置。
【請求項３】
前記ソレノイドは、給電されることにより、前記プランジャを引き込み位置に保持する、請求項２に記載のステアリングロック装置。
【請求項４】
前記阻止部材と前記カム連動部材は、前記プランジャの移動方向に垂直な回転軸まわりに回転可能に軸支される、請求項１〜３のうちのいずれか１項に記載のステアリングロック装置。
【請求項５】
前記ソレノイドは、前記カムシャフトの軸方向に対して前記プランジャの移動方向が直角になる向きで配置される、請求項４に記載のステアリングロック装置。
【請求項６】
前記カム連動部材は、前記プランジャの移動方向に平行な回転軸まわりに回転可能に軸支され、
前記阻止部材は、前記プランジャの移動方向に垂直な回転軸まわりに回転可能に軸支される、請求項１〜３のうちのいずれか１項に記載のステアリングロック装置。
【請求項７】
前記ソレノイドは、前記カムシャフトの軸方向に対して前記プランジャの移動方向が平行になる向きで配置される、請求項６に記載のステアリングロック装置。
【請求項８】
前記カム連動部材の前記他端部に傾斜面が設けられ、
前記傾斜面は、ＡＣＣ位置において前記カム部の回転方向で前記カム部の大径部に対向し、前記カム部のＡＣＣ位置からＬＯＣＫ位置への回転に伴い前記大径部に乗り上がって前記カム連動部材を押し上げる、請求項１〜７のうちのいずれか１項に記載のステアリングロック装置。
【請求項９】
前記阻止部材は、前記規制位置において前記カム部の回転方向で前記カム部の大径部に当接し、
前記阻止部材は、前記規制位置において前記カム部から受ける力によって、前記プランジャを引き込み位置に向かわせる方向の回転モーメントが発生するように、構成される、請求項１〜８のうちのいずれか１項に記載のステアリングロック装置。
【発明の詳細な説明】
【技術分野】
【０００１】
本開示は、ステアリングロック装置に関する。
【背景技術】
【０００２】
ＡＴ車のステアリングロック装置には、シフトレバーがパーキングレンジ「Ｐ」以外のリバースレンジ「Ｒ」、ニュートラルレンジ「Ｎ」又はドライブレンジ「Ｄ」等にセットされている場合に、キーロック機構でキーシリンダをロックしてキーを抜けなくするキーインターロック機構を備えるものがある。
【０００３】
このキーインターロック装置にソレノイドを用いるものは一般的であり、例えば、シフトレバーが「Ｐ」以外の位置のとき、ソレノイドが通電されることでプランジャが突出してステアリングロック装置のカムと嵌合し、キーを「ＬＯＣＫ」位置に回転できなくしている。また、通電が解除されるとスプリング力により元の没入位置に戻る（特許文献１参照）。
【先行技術文献】
【特許文献】
【０００４】
【特許文献１】特許第３８３８６３０号公報
【発明の概要】
【発明が解決しようとする課題】
【０００５】
上記のような従来技術では、ソレノイドの性質上、運転中（シフトレバーが「Ｐ」位置以外の位置にあるとき）には連続通電が必要となり、また、スプリングの付勢力に抗してプランジャを駆動する必要があるため、大きな駆動力が必要となり、ソレノイドが大型化したり、消費電力が増加したりする傾向となる。
【０００６】
そこで、１つの側面では、本発明は、比較的小型で消費電力が比較的低く、かつ、ソレノイドの発熱を抑制することができるステアリングロック装置を提供することを目的とする。
【課題を解決するための手段】
【０００７】
１つの側面では、一の態様として、ハウジング内に配置され、キーの回転操作に応じてＬＯＣＫ位置、ＡＣＣ位置、ＯＮ位置及びＳＴＡＲＴ位置へ回転するカム部を有するカムシャフトと、
突出位置と引き込み位置との間で移動可能なプランジャを駆動するソレノイドと、
前記プランジャの移動に連動して規制位置と許容位置とに移動可能であって、前記プランジャの引き込み位置となる規制位置では前記カムシャフトのＬＯＣＫ位置への回転を阻止し、前記プランジャの突出位置となる許容位置では前記カムシャフトのＬＯＣＫ位置への回転を許容する阻止部材と、
一端部が前記ハウジングに軸支され、他端部が前記阻止部材に離脱可能な態様で係合可能であり、前記カム部の回転に連動するカム連動部材と、
前記阻止部材を許容位置に向けて付勢する第１スプリングと、
前記カム連動部材を介して前記阻止部材を前記規制位置に向けて付勢する第２スプリングとを備え、
前記カム連動部材は、前記カムシャフトがＬＯＣＫ位置からＡＣＣ位置に回転することに応じて、前記第２スプリングからの付勢力によって前記第１スプリングの付勢力に抗して前記阻止部材を前記許容位置から前記規制位置に移動させる、ステアリングロック装置が提供される。
【０００８】
本態様において、前記第１スプリングは、前記プランジャを介して前記阻止部材を付勢し、
前記阻止部材には、前記カム連動部材の前記他端部が係合可能な凹部が形成され、又は、前記カム連動部材の前記他端部には、前記阻止部材が係合可能な凹部が形成されてもよい。  
本態様において、前記ソレノイドは、給電されることにより、前記プランジャを引き込み位置に保持してもよい。
【０００９】
本態様において、前記阻止部材と前記カム連動部材は、前記プランジャの移動方向に垂直な回転軸まわりに回転可能に軸支されてもよい。
【００１０】
本態様において、前記ソレノイドは、前記カムシャフトの軸方向に対して前記プランジャの移動方向が直角になる向きで配置されてもよい。
【００１１】
本態様において、前記カム連動部材は、前記プランジャの移動方向に平行な回転軸まわりに回転可能に軸支され、
前記阻止部材は、前記プランジャの移動方向に垂直な回転軸まわりに回転可能に軸支されてもよい。
【００１２】
本態様において、前記ソレノイドは、前記カムシャフトの軸方向に対して前記プランジャの移動方向が平行になる向きで配置されてもよい。
【００１３】
本態様において、前記カム連動部材の前記他端部に傾斜面が設けられ、
前記傾斜面は、ＡＣＣ位置において前記カム部の回転方向で前記カム部の大径部に対向し、前記カム部のＡＣＣ位置からＬＯＣＫ位置への回転に伴い前記大径部に乗り上がって前記カム連動部材を押し上げてもよい。
【００１４】
本態様において、前記阻止部材は、前記規制位置において前記カム部の回転方向で前記カム部の大径部に当接し、
前記阻止部材は、前記規制位置において前記カム部から受ける力によって、前記プランジャを引き込み位置に向かわせる方向の回転モーメントが発生するように、構成されてもよい。
【発明の効果】
【００１５】
１つの側面では、本発明によれば、比較的小型で消費電力が比較的低く、かつ、ソレノイドの発熱を抑制することが可能となる。
【図面の簡単な説明】
【００１６】
【図１】実施例１によるステアリングロック装置を示す斜視図である。
【図２】ステアリングロック装置の内部（一部）の斜視図である。
【図３】カムシャフトの単品状態の概略的な斜視図である。
【図４】インターロック機構の主要部の概略的な斜視図である。
【図５】インターロック機構の主要部の概略的な側面図である。
【図６】第１リンクの単品状態の概略的な斜視図である。
【図７】第２リンクの単品状態の概略的な斜視図である。
【図８Ａ】プランジャと第１リンクと第２リンクとの関係を示す概略図（その１）である。
【図８Ｂ】プランジャと第１リンクと第２リンクとの関係を示す概略図（その２）である。
【図９】実施例２によるインターロック機構の概略的な斜視図である。
【図１０】第２リンクの単品状態の概略的な斜視図である。
【図１１Ａ】プランジャと第１リンクと第２リンクとの関係を示す概略図（その１）である。
【図１１Ｂ】プランジャと第１リンクと第２リンクとの関係を示す概略図（その２）である。
【発明を実施するための形態】
【００１７】
以下、添付図面を参照しながら各実施例について詳細に説明する。
【００１８】
（実施例１）
図１は、実施例１によるステアリングロック装置１を示す斜視図である。図２は、図１のステアリングロック装置１におけるハウジング１０等を取り除いたステアリングロック装置１の内部の斜視図である。図３は、カムシャフト２０の単品状態の概略的な斜視図である。図１及び図２等には、Ｐ方向が示される。Ｐ方向は、シリンダ錠７０の軸方向（キーの差し込み方向）に対応する。また、以下の説明において、「径方向」及び「周方向」は、特に言及しない限り、カムシャフト２０の回転中心を基準とする。
【００１９】
本実施例のステアリングロック装置１は、不図示のステアリングシャフト（ステアリングホイール）の回転をロック及びアンロックするものである。また、本実施例のステアリングロック装置１は、インターロック機構２を備える。すなわち、ステアリングロック装置１は、シフトレバーがパーキングレンジ「Ｐ」以外のリバースレンジ「Ｒ」、ニュートラルレンジ「Ｎ」又はドライブレンジ「Ｄ」等にセットされている場合には、シリンダ錠７０内のシリンダインナ７２と一体で回転するカムシャフト２０の回転を規制して、キーを抜けなくする。
【００２０】
ステアリングロック装置１は、ハウジング１０と、カムシャフト２０と、ソレノイド３０と、第１リンク４０と、第２リンク５０と、第１スプリング６１と、第２スプリング６２と、シリンダ錠７０とを含む。
【００２１】
ハウジング１０は、複数のハウジングから形成されてもよい。
【００２２】
カムシャフト２０は、ハウジング１０内に配置されている。カムシャフト２０は、キー（図示せず）の回転操作に応じてＬＯＣＫ位置、ＡＣＣ位置、ＯＮ位置及びＳＴＡＲＴ位置へ回転する。
【００２３】
カムシャフト２０は、図３に示すように、カム部２１と、シリンダ係合部２２と、スイッチ係合部２３とを備える。
【００２４】
カム部２１は、円筒外径が小さい小径部２１ａと、小径部２１ａよりも円筒外径が大きい大径部２１ｂとを有している。大径部２１ｂの端部は、キーがＡＣＣ位置からＬＯＣＫ位置方向（図１において反時計回り）へ回転させられたときに、後述の第１リンク４０の第１カム係合部４８に周方向で係合するように形成されている。
【００２５】
シリンダ係合部２２は、シリンダインナ７２（図２参照）の端部が係合するための凹形状である。シリンダ係合部２２がシリンダインナ７２と係合しているので、キーが回転させられると、その回転力がカムシャフト２０に伝えられる。
【００２６】
スイッチ係合部２３は、イグニッションスイッチ（図示せず）と係合するための凸形状である。スイッチ係合部２３がイグニッションスイッチと係合しているので、キーが回転させられると、その回転力がカムシャフト２０を介してイグニッションスイッチに伝えられる。
【００２７】
次に、図４以降を参照して、インターロック機構２の主要部の構成と、その動作について説明する。
【００２８】
図４は、インターロック機構２の主要部の概略的な斜視図である。図４には、第１スプリング６１及び第２スプリング６２の図示が省略されている。図５は、インターロック機構２の主要部の概略的な側面図（Ｐ方向に直交する方向に視た側面図）である。図５には、第１スプリング６１及び第２スプリング６２が非常に模式的に示され、また、図４及び図５では、カムシャフト２０については、ＡＣＣ位置に対応したカムシャフト２０のカム部２１の外形のみが模式的に示される。図６は、第１リンク４０の単品状態の概略的な斜視図である。図７は、第２リンク５０の単品状態の概略的な斜視図である。
【００２９】
図５には、互いに直交する３方向であるＸ方向、Ｙ方向（前出のＰ方向に平行）、及びＺ方向（第３方向の一例）が定義されている。以下では、便宜上、Ｚ方向を上下方向とし、正側を上側とし、負側を下側とする。ただし、実際のステアリングロック装置１の搭載状態の向きは任意である。また、以下の説明において、「時計回り」及び「反時計回り」とは、特に言及しない限り、図５（後出の図８Ａ及び図８Ｂも同じ）のビューで視たときの回転方向であるとする。
【００３０】
本実施例では、インターロック機構２は、カムシャフト２０（図３参照）と、ソレノイド３０と、第１リンク４０（阻止部材の一例）と、第２リンク５０（カム連動部材の一例）と、第１スプリング６１と、第２スプリング６２とを含む。
【００３１】
カムシャフト２０は、上述のとおりである。なお、カム部２１は、カムシャフト２０の一部である。
【００３２】
ソレノイド３０は、ハウジング１０の側面や上方に、Ｘ方向（すなわちカムシャフト２０の回転中心軸が延在する方向に直交する方向）に沿ってプランジャ３１が動作するように配置されている。ソレノイド３０は、プランジャ３１を引き込み位置（没入位置）に保持するように給電される。具体的には、ソレノイド３０は、給電されることにより、プランジャ３１を引き込み位置に保持する。
【００３３】
プランジャ３１は、カムシャフト２０の回転中心軸に交差する方向に延在した棒状の部材であって、ソレノイド３０への通電に応じて、Ｘ方向において、突出位置（後出の図８Ａ参照）と引き込み位置（図５及び後出の図８Ｂ参照）との間で進退移動を行う。
【００３４】
プランジャ３１の先端部（自由端側）には、Ｘ方向に交差する方向に突出する突起部３１１が形成される。プランジャ３１は、突起部３１１を介して第１リンク４０と連動可能に係合する。なお、プランジャ３１と第１リンク４０との間の係合態様は、これに限られない。例えば、第１リンク４０側に突起部が設けられ、プランジャ３１側に当該突起部が係合する部位が設けられてもよい。
【００３５】
第１リンク４０は、プランジャ３１の進退移動に連動して、第１回転軸Ｏ１まわりに回転可能である。すなわち、第１リンク４０は、プランジャ３１の進退移動に連動して、カムシャフト２０のＬＯＣＫ位置への回転を阻止する規制位置（図５及び後出の図８Ｂ参照）と、カムシャフト２０のＬＯＣＫ位置への回転を許容する許容位置（後出の図８Ａ参照）との間で回転可能である。なお、第１リンク４０における第１回転軸Ｏ１を形成する部位４１は、例えばハウジング１０等の固定部材に回転可能に支持される。第１回転軸Ｏ１は、Ｙ方向に延在する。
【００３６】
第１リンク４０は、図６に示すように、本体部４２と、プランジャ係合部４４と、第２リンク係合部４６と、第１カム係合部４８とを含む。
【００３７】
本体部４２は、Ｙ方向に視て、Ｌ字状の形態である。Ｌ字状の角度（屈曲する角度）は、図５では約９０度であるが、９０度以外であってもよい。なお、第１回転軸Ｏ１を形成する部位４１は、本体部４２に形成される。
【００３８】
プランジャ係合部４４は、Ｌ字状の本体部４２の一端に形成される。プランジャ係合部４４は、プランジャ３１に対して回転可能でありかつ上下変位が可能な態様で、プランジャ３１に接続（係合）される。例えば図６に示すように、上側が開口する切り欠きの形態である。プランジャ３１の突起部３１１は、プランジャ３１の進退移動に連動して、プランジャ係合部４４に対して、プランジャ係合部４４の切欠き内で上下変位（相対的な変位）する。プランジャ係合部４４は、プランジャ３１のＹ方向の両側に対で設けられる。
【００３９】
第２リンク係合部４６は、Ｌ字状の本体部４２の他端に形成される。第２リンク係合部４６は、第２リンク５０と係合する部位である。第２リンク係合部４６は、例えば図６に示すように、凹部の形態である。この場合、第２リンク係合部４６内に第２リンク５０の第１リンク係合部５４（後述）が収まる態様で、第１リンク４０と第２リンク５０とが係合する。
【００４０】
第１カム係合部４８は、第２リンク係合部４６の下側で、下方に突出する態様で延在する。第１カム係合部４８は、第１リンク４０が許容位置にあるとき、カム部２１の大径部２１ｂに径方向で当接する（後出の図８Ａ参照）。また、第１カム係合部４８は、第１リンク４０が阻止位置にあるとき（カムシャフト２０がＡＣＣ位置にあるとき）、カム部２１の大径部２１ｂに周方向で対向する（図５参照）。
【００４１】
なお、第１カム係合部４８は、図４及び図５に示すように、反時計回りの上流側と下流側の各側面（周方向の側面）は、後述の第２カム係合部５６の傾斜面５６ａとは異なり、例えばカム部２１の周面に対して略９０度で立ち上がる面（実質的に傾斜しない面）で形成されてよい。
【００４２】
第２リンク５０は、カムシャフト２０の回転に伴うカム部２１の回転に連動して、第２回転軸Ｏ２まわりに回転する。第２リンク５０における第２回転軸Ｏ２を形成する部位５１は、例えばハウジング１０等の固定部材に回転可能に支持される。第２回転軸Ｏ２は、第１回転軸Ｏ１と平行に（すなわちＹ方向に）延在する。
【００４３】
第２リンク５０は、カムシャフト２０の回転に応じて、第１リンク４０を規制位置（図５及び後出の図８Ｂ参照）と許容位置（後出の図８Ａ参照）との間で遷移させる。この動作については、図５、後出の図８Ａ及び図８Ｂを参照して後述する。
【００４４】
第２リンク５０は、図７に示すように、本体部５２と、第１リンク係合部５４と、第２カム係合部５６とを含む。
【００４５】
本体部５２は、直線状に延在する。なお、第２回転軸Ｏ２を形成する部位５１は、本体部５２のＸ方向正側の端部に形成される。
【００４６】
第１リンク係合部５４は、本体部５２の先端部からＸ方向負側に突出する態様で延在する。第１リンク係合部５４は、第２リンク５０の回転に伴って、第２リンク係合部４６に係合する位置と、係合しない位置とで変化する。すなわち、第１リンク係合部５４は、第２リンク係合部４６に、離脱可能な態様で係合可能である。第１リンク係合部５４と第２リンク係合部４６とが係合した状態においては、第２リンク５０の回転（第２回転軸Ｏ２まわりの反時計回り）に伴って、第１リンク４０に第１回転軸Ｏ１まわりに時計回りの回転モーメントＭ１（図５参照）を生じさせることができる。本実施例では、一例として、第１リンク係合部５４は、凹部の形態の第２リンク係合部４６内に収まる形態である。この場合、第１リンク係合部５４が、第２リンク係合部４６内に収まった状態で、第１リンク４０に下方に荷重を付与すると、第１リンク４０に、第１回転軸Ｏ１を中心とした回転モーメントＭ１が生じる。
【００４７】
第２カム係合部５６は、本体部５２の先端（Ｘ方向負側の端部）の下側で、下方に突出する態様で延在する。第２カム係合部５６は、第１カム係合部４８とＸ方向（又は周方向）で隣接する。
【００４８】
第２カム係合部５６は、第１リンク４０が許容位置にあるとき、カム部２１の大径部２１ｂに径方向で当接する（後出の図８Ａ参照）。また、第２カム係合部５６は、カムシャフト２０がＡＣＣ位置にあるとき、カム部２１の大径部２１ｂに周方向で対向する（図５参照）。
【００４９】
第２カム係合部５６は、反時計回りの上流側の側面として、傾斜面５６ａを有してよい。傾斜面５６ａは、ＡＣＣ位置からＬＯＣＫ位置への反時計回りに回る際のカム部２１の乗り越え（図５の状態から後出の図８Ｂの状態への変化）が容易となるように形成される。具体的には、傾斜面５６ａは、ＡＣＣ位置において周方向（カム部２１の回転方向）でカム部２１の大径部２１ｂに対向し、カム部２１のＬＯＣＫ位置への移動に伴い大径部２１ｂに乗り上がって第２リンク５０を押し上げる。なお、第２カム係合部５６は、反時計回りの下流側の側面は、傾斜面５６ａよりも急な（例えば略９０度で立ち上がる）面で形成されてよい。
【００５０】
第１スプリング６１は、プランジャ３１を突出位置に向けて付勢する。第１スプリング６１は、図５に模式的に示すように、プランジャ３１の軸と同軸に設けられてよい。第１スプリング６１は、ソレノイド３０に内蔵されてもよい。第１スプリング６１は、プランジャ３１を突出位置（後出の図８Ａ参照）に向けて付勢する。第１スプリング６１によりプランジャ３１に付与される力は、第１リンク４０に、第１回転軸Ｏ１を中心とした回転モーメントＭ２（図５参照）を生じさせる。
【００５１】
第２スプリング６２は、第１リンク４０が第２リンク５０に係合している状態において、第１リンク４０を規制位置（図５参照）に向けて第２リンク５０を介して付勢する。すなわち、第２スプリング６２は、第２リンク５０に、第２回転軸Ｏ２を中心とした回転モーメントＭ３を生じさせる。回転モーメントＭ３に起因した力は、第１リンク係合部５４と第２リンク係合部４６との間の係合点に作用し、第１リンク４０に、第１回転軸Ｏ１を中心とした回転モーメントＭ１（第１リンク４０を規制位置に向かわせる方向のモーメント）を生じさせる。第２スプリング６２は、例えば一端がソレノイド３０に接続され、他端が第２リンク５０の上部に接続される。
【００５２】
次に、図５、図８Ａ、及び図８Ｂを参照して、インターロック機構２の動作について説明する。
【００５３】
図８Ａ及び図８Ｂは、プランジャ３１と、第１リンク４０と、第２リンク５０との関係を示す概略図であり、図５と同じ側面図（Ｐ方向に直交する方向に視た側面図）である。図８Ａ及び図８Ｂでは、図５と同様、第１スプリング６１及び第２スプリング６２が非常に概略的に示されている。
【００５４】
図５は、上述したように、カムシャフト２０がＡＣＣ位置にあり、第１リンク４０が阻止位置にある状態（従って、プランジャ３１が引き込み位置にある状態）であり、図８Ａは、カムシャフト２０がＬＯＣＫ位置にあり、第１リンク４０が許容位置にある状態（従って、プランジャ３１が突出位置にある状態）であり、図８Ｂは、カムシャフト２０がＡＣＣ位置とＬＯＣＫ位置の間の位置にあり、第１リンク４０が阻止位置にある状態（従って、プランジャ３１が引き込み位置にある状態）であり、インターロックが作動した状態（ソレノイド３０が通電されている状態）である。
【００５５】
ここで、図５の状態において、インターロックが作動していない状態を想定する。インターロックが作動していない状態では、ソレノイド３０は通電されていないが、プランジャ３１は、引き込み位置に保持されている。これは、プランジャ３１は、第１スプリング６１により突出位置へと付勢されているが、この付勢力よりも、第１リンク４０から受ける引き込み位置に向けた付勢力の方が大きいためである。なお、プランジャ３１が第１リンク４０から受ける引き込み位置に向けた付勢力は、第２スプリング６２が第２リンク５０に付与する付勢力に起因している。すなわち、図５の状態では、第２リンク５０と第１リンク４０とが係合しており、第２スプリング６２からの力は、第２リンク５０及び第１リンク４０を介してプランジャ３１に、引き込み位置に向けた付勢力として作用する。なお、図５の状態が保持されるように、プランジャ３１に作用する第２スプリング６２に起因した付勢力は、プランジャ３１に作用する第１スプリング６１による付勢力よりも有意に大きくなるように設定されている。
【００５６】
図５の状態において、インターロックが作動していない状態では、カムシャフト２０がＬＯＣＫ位置へと回されると、図８Ａに示す状態へと遷移可能である。
【００５７】
具体的には、カムシャフト２０がＬＯＣＫ位置へと回され始めると、カム部２１は、反時計まわりに回転され始める。この場合、図８Ｂに示すように、カム部２１の大径部２１ｂは、第２スプリング６２からの付勢力に抗して、第２リンク５０を押上げ（時計回りに回転させ）、第１リンク係合部５４を第２リンク係合部４６から上昇させる。この際、第１スプリング６１を介した付勢力によって、第１リンク４０も同様に第２リンク係合部４６の側が上昇する（すなわち第１リンク４０が反時計回りに回る）（図８Ａ参照、図８Ｂに示す状態とは異なる）。そして、カム部２１の大径部２１ｂが第２リンク５０を完全に押上げると（大径部２１ｂと第２カム係合部５６の最も下方に突出した部位が径方向に当接すると）、第１リンク４０も同様に第２リンク係合部４６の側が完全に上昇する（すなわちプランジャ３１の突出位置に対応する位置まで第１リンク４０が反時計回りに回る）。この結果、カム部２１は第１リンク４０に阻止されることなく、反時計回りに回転でき、カムシャフト２０がＬＯＣＫ位置へと至ることができる。
【００５８】
他方、図５の状態において、インターロックが作動している状態では、カムシャフト２０がＬＯＣＫ位置へと回されても、図８Ａに示す状態への遷移が不能である。
【００５９】
具体的には、カムシャフト２０がＬＯＣＫ位置へと回され始めると、カム部２１は、反時計まわりに回転され始める。この場合、図８Ｂに示すように、カム部２１の大径部２１ｂは、第２スプリング６２からの付勢力に抗して、第２リンク５０を押上げ（時計回りに回転させ）、第１リンク係合部５４を第２リンク係合部４６から上昇させる。しかしながら、この際、第１スプリング６１を介した付勢力に勝るソレノイド３０の吸引力によって、第１リンク４０は回転せず、図８Ｂの位置を維持する。従って、カム部２１の大径部２１ｂが第２リンク５０を完全に押上げても（大径部２１ｂと第２カム係合部５６の最も下方に突出した部位が径方向に当接しても）、第１リンク４０は回転せず、図８Ｂの位置を維持する。この結果、カム部２１は第１リンク４０に阻止され、それ以上（図８Ｂの位置から更には）反時計回りに回転できず、カムシャフト２０がＬＯＣＫ位置へと至ることができない。このようにして、インターロックが実現される。
【００６０】
逆に、図８Ａの状態からは、カムシャフト２０がＡＣＣ位置へと回され始めると、大径部２１ｂと第１リンク４０との間の当接が解除される（図８Ｂ）。このとき、第１スプリング６１を介した付勢力によって、第１リンク４０は回転せずそのままの状態である。すなわち、第１リンク係合部５４が第２リンク係合部４６に係合した状態は維持される。そして、更にカムシャフト２０がＡＣＣ位置へと回されると、第２スプリング６２の付勢力によって、第２リンク５０が反時計回りに回転される。この際、第２リンク５０は、第１リンク係合部５４が第２リンク係合部４６に係合した状態で、第１リンク４０を回転させる。そして、最終的に、カム部２１の大径部２１ｂと第２カム係合部５６の最も下方に突出した部位との間の当接が解除されると、第２スプリング６２の付勢力によって、カムシャフト２０がＡＣＣ位置へと至る（図５参照）。このようにして、カムシャフト２０がＡＣＣ位置へと回される場合は、第２リンク５０の作動により、第１リンク４０を介してプランジャ３１が機械的に引き込み位置へと駆動される。
【００６１】
本実施例によれば、上述したように、第２スプリング６２により付勢される第２リンク５０の作動により、第１リンク４０を介してプランジャ３１を機械的に引き込み位置に作動させることができる。従って、カムシャフト２０がＬＯＣＫ位置からＡＣＣ位置へと回される際に、ソレノイド３０がプランジャ３１を、突出位置から引き込み位置へと引き込み駆動する必要性がなくなる。すなわち、第１スプリング６１の付勢力に抗して引き込み駆動する必要がない構成とすることができる。この結果、ソレノイド３０は、カムシャフト２０がＬＯＣＫ位置からＡＣＣ位置へと回された後に、図８Ｂに示す状態を保持するための保持荷重（第２リンク５０の作動により至らしめた引き込み位置で保持する荷重）を発生するだけでよくなる。このようにして、本実施例によれば、ソレノイド３０の省電力化が可能となり、ソレノイド３０の発熱量も抑制することができる。
【００６２】
また、本実施例では、図８Ｂに示すように、インターロックが作動している状態においいて、カムシャフト２０がＬＯＣＫ位置へと回されると、大径部２１ｂが第１リンク４０の第１カム係合部４８に周方向で係合することで、ＬＯＣＫ位置への回転が阻止される。この際、第１リンク４０には、カム部２１を介して外力Ｆ（図８Ｂ参照）が作用するが、かかる外力Ｆは、第１リンク４０に、図８Ｂに示すように、時計回りに回転させる方向の回転モーメントＭ４を生じさせる。この回転モーメントＭ４は、プランジャ３１を引き込み位置に保持する方向に作用する。従って、本実施例によれば、ソレノイド３０の保持荷重は、カムシャフト２０がＬＯＣＫ位置へと回される際に受ける外力（図８Ｂの外力Ｆ参照）に抗するように高める必要性がない。この結果、ソレノイド３０の省電力化が可能となり、発熱量も抑制することができる。
【００６３】
また、本実施例によれば、ソレノイド３０に設けられたスプリング（第１スプリング６１）を利用することによって、第２リンク５０を付勢するための第２スプリング６２を設けるだけでよいので、構成が単純化することができる。なお、この点、図５では、説明上、第１スプリング６１は、ソレノイド３０のケースの外に図示されているが、ソレノイド３０のケース内に設けられてもよい。
また、本実施例によれば、第２リンク５０が軸支される構成であるので、第２リンク５０に代えてスライド可能なカム連動部材を利用する場合に比べて、動作が安定し、誤作動の可能性を低減できる。
【００６４】
（実施例２）
次に、図９以降を参照して、実施例２について説明する。
【００６５】
実施例２によるステアリングロック装置（全体は図示せず）は、上述した実施例１によるステアリングロック装置１に対して、インターロック機構２がインターロック機構２Ａで置換された点が異なる。以下の実施例２の説明において、上述した実施例１と実質的に同様であってよい構成要素については、同一の参照符号を付して説明を省略する場合がある。
【００６６】
図９は、本実施例によるインターロック機構２Ａの概略的な斜視図である。図９では、第１スプリング６１及び第２スプリング６２の図示が省略されている。図９では、カムシャフト２０がＬＯＣＫ位置にあり、第１リンク４０が許容位置にある状態（従って、プランジャ３１が突出位置にある状態）である。
【００６７】
実施例２によるインターロック機構２Ａは、上述した実施例１によるインターロック機構２に対して、第２リンク５０が第２リンク５０Ａで置換され、かつ、部品間の向きが異なる。具体的には、上述した実施例１では、ソレノイド３０のプランジャ３１の移動方向は、カムシャフト２０の回転軸と直角であり、第１リンク４０の第１回転軸Ｏ１は、カムシャフト２０の回転軸と平行であり、かつ、第２リンク５０の第２回転軸Ｏ２は、カムシャフト２０の回転軸と平行であるの対して、本実施例では、ソレノイド３０のプランジャ３１の移動方向は、カムシャフト２０の回転軸と平行であり、第１リンク４０の第１回転軸Ｏ１は、カムシャフト２０の回転軸と直角であり、かつ、第２リンク５０Ａの第２回転軸Ｏ２は、カムシャフト２０の回転軸と平行である。
【００６８】
図１０は、第２リンク５０Ａの単品状態の概略的な斜視図である。
【００６９】
第２リンク５０Ａは、上述した実施例１による第２リンク５０に対して、図１０に示すように、第１リンク係合部５４が第１リンク係合部５４Ａで置換された点が異なる。第１リンク係合部５４Ａは、本体部５２から直角に屈曲して形成される。このような第１リンク係合部５４Ａを形成することで、第１リンク４０の第１回転軸Ｏ１と第２リンク５０Ａの第２回転軸Ｏ２とが直交する関係であっても、第１リンク４０と第２リンク５０Ａとを、上述した第１実施例による第１リンク４０と第２リンク５０と同様の態様で動作させることができる。
【００７０】
なお、第１リンク係合部５４Ａは、上述した実施例１による第１リンク係合部５４と同様、第１リンク４０の第２リンク係合部４６（凹部の形態）に係合可能である。
【００７１】
図１１Ａ及び図１１Ｂは、インターロック機構２Ａの動作の説明図であり、プランジャ３１と、第１リンク４０と、第２リンク５０Ａとの関係を示す概略図である。図１１Ａ及び図１１Ｂは、図９と同じ方向の斜視図である。図１１Ａ及び図１１Ｂには、カムシャフト２０については、カム部２１のみが示される。
【００７２】
図１１Ａは、カムシャフト２０がＡＣＣ位置にあり、第１リンク４０が阻止位置にある状態（従って、プランジャ３１が引き込み位置にある状態）であり、図１１Ｂは、カムシャフト２０がＡＣＣ位置にあり、第１リンク４０が阻止位置にある状態（従って、プランジャ３１が引き込み位置にある状態）であり、インターロックが作動した状態（ソレノイド３０が通電されている状態）である。
【００７３】
本実施例によるインターロック機構２Ａの動作は、実質的に上述した実施例１によるインターロック機構２の動作と同様である。
【００７４】
具体的には、図１１Ａの状態において、インターロックが作動していない状態を想定する。インターロックが作動していない状態では、ソレノイド３０は通電されていないが、プランジャ３１は、引き込み位置に保持されている。これは、プランジャ３１は、第１スプリング６１により突出位置へと付勢されているが、この付勢力よりも、第１リンク４０から受ける引き込み位置に向けた付勢力の方が大きいためである。
【００７５】
図１１Ａの状態において、インターロックが作動していない状態では、カムシャフト２０がＬＯＣＫ位置へと回されると、図９に示す状態へと遷移可能である。
【００７６】
具体的には、カムシャフト２０がＬＯＣＫ位置へと回され始めると、図１１Ｂに示すように、カム部２１の大径部２１ｂは、第２スプリング６２からの付勢力に抗して、第２リンク５０Ａを押上げ、第１リンク係合部５４Ａを第２リンク係合部４６から上昇させる。この際、第１スプリング６１を介した付勢力によって、第１リンク４０も同様に第２リンク係合部４６の側が上昇する。そして、カム部２１の大径部２１ｂが第２リンク５０Ａを完全に押上げると、第１リンク４０も同様に第２リンク係合部４６の側が完全に上昇する。この結果、カム部２１は第１リンク４０に阻止されることなく、カムシャフト２０がＬＯＣＫ位置へと至ることができる。
【００７７】
他方、図１１Ａの状態において、インターロックが作動している状態では、カムシャフト２０がＬＯＣＫ位置へと回されても、図９に示す状態への遷移が不能である。
【００７８】
具体的には、カムシャフト２０がＬＯＣＫ位置へと回され始めると、カム部２１の大径部２１ｂは、第２スプリング６２からの付勢力に抗して、第２リンク５０Ａを押上げ、第１リンク係合部５４Ａを第２リンク係合部４６から上昇させる。しかしながら、この際、第１スプリング６１を介した付勢力に勝るソレノイド３０の吸引力によって、第１リンク４０は回転せず、図１１Ｂの位置を維持する。従って、カム部２１の大径部２１ｂが第２リンク５０Ａを完全に押上げても（大径部２１ｂと第２カム係合部５６の最も下方に突出した部位が径方向に当接しても）、第１リンク４０は回転せず、図１１Ｂの位置を維持する。この結果、カム部２１は第１リンク４０に阻止され、それ以上（図１１Ｂの位置から更には）回転できず、カムシャフト２０がＬＯＣＫ位置へと至ることができない。このようにして、インターロックが実現される。
【００７９】
逆に、図９の状態からは、カムシャフト２０がＡＣＣ位置へと回され始めると、大径部２１ｂと第１リンク４０との間の当接が解除される（図１１Ｂ）。この際、第１スプリング６１を介した付勢力によって、第１リンク４０は回転せずそのままの状態を維持する。そして、更にカムシャフト２０がＡＣＣ位置へと回され、カム部２１の大径部２１ｂと第２カム係合部５６の最も下方に突出した部位との間の当接が解除されると、第２スプリング６２の付勢力によって、カムシャフト２０がＡＣＣ位置へと至る（図１１Ａ参照）。この際、この際、第２リンク５０Ａは、第１リンク係合部５４Ａが第２リンク係合部４６に係合した状態で、第１リンク４０Ａを回転させる。このようにして、第２リンク５０Ａの作動により、第１リンク４０を介してプランジャ３１が機械的に引き込み位置へと駆動される。
【００８０】
本実施例によっても、上述した実施例１と同様の効果が得られる。
【００８１】
このようにして、上述した実施例１と実施例２にように、ソレノイド３０の配置（すなわちカムシャフト２０に対するソレノイド３０の向き）に応じて、第２リンク５０、５０Ａの構成を一部変更するだけで、省スペース化でレイアウトに応じたインターロック機構２，２Ａを実現できる。
【００８２】
以上、各実施例について詳述したが、特定の実施例に限定されるものではなく、特許請求の範囲に記載された範囲内において、種々の変形及び変更が可能である。また、前述した実施例の構成要素を全部又は複数を組み合わせることも可能である。
【００８３】
例えば、上述した実施例では、第１リンク４０の第２リンク係合部４６が凹部の形態であり、第２リンク５０、５０Ａの第１リンク係合部５４、５４Ａが当該凹部に嵌まる形態であったが、これに限られない。例えば、第２リンク５０、５０Ａの第１リンク係合部５４、５４Ａが凹部の形態であり、第１リンク４０の第２リンク係合部４６が当該凹部に嵌まる形態であってもよい。また、第１リンク４０の第２リンク係合部４６と、第２リンク５０、５０Ａの第１リンク係合部５４、５４Ａとは、凹部と凸部との関係で係合する態様である必要はなく、第２リンク５０、５０Ａの第１リンク係合部５４、５４Ａが、第１リンク４０の第２リンク係合部４６の上側に当接して下向きの力を付与できる態様の係合が実現できればよい。ただし、凹部の形態を利用した係合の場合、係合が確実なものとなり、第２リンク５０、５０Ａから第１リンク４０への力の伝達（第２スプリング６２の付勢力の伝達）が確実なものとなる。
【００８４】
また、上述した実施例では、第１スプリング６１は、プランジャ３１を介して第１リンク４０を付勢しているが、これに限られない。例えば、第１スプリング６１は、許容位置に向けて第１リンク４０を直接的に付勢してもよい。
【符号の説明】
【００８５】
１  ステアリングロック装置
２、２Ａ  インターロック機構
１０  ハウジング
２０  カムシャフト
２１  カム部
２１ａ  小径部
２１ｂ  大径部
２２  シリンダ係合部
２３  スイッチ係合部
３０  ソレノイド
３１  プランジャ
４０  第１リンク
４２  本体部
４４  プランジャ係合部
４６  第２リンク係合部
４８  第１カム係合部
５０、５０Ａ  第２リンク
５２  本体部
５４、５４Ａ  第１リンク係合部
５６  第２カム係合部
５６ａ  傾斜面
６１  第１スプリング
６２  第２スプリング
７０  シリンダ錠
７２  シリンダインナ
３１１  突起部
Ｍ１  回転モーメント
Ｍ２  回転モーメント
Ｍ３  回転モーメント
Ｏ１  第１回転軸
Ｏ２  第２回転軸
【図１】
2020097325.tif 000003
【図２】
2020097325.tif 000004
【図３】
2020097325.tif 000005
【図４】
2020097325.tif 000006
【図５】
2020097325.tif 000007
【図６】
2020097325.tif 000008
【図７】
2020097325.tif 000009
【図８Ａ】
2020097325.tif 000010
【図８Ｂ】
2020097325.tif 000011
【図９】
2020097325.tif 000012
【図１０】
2020097325.tif 000013
【図１１Ａ】
2020097325.tif 000014
【図１１Ｂ】
2020097325.tif 000015